(57)【要約】【課題】引っ掛けただけの突起形状から外れることをなくすことにより、針金などで固定することなく脱落の虞のない鉛直な姿勢のままの吊上を実現して、変圧器などの吊上作業を容易化することのできる吊上補助具を提供すること。【解決手段】変圧器をスリングベルトで吊り上げる際に用いる吊上補助具１０であって、そのスリングベルトの両端側の輪状部に引っ掛けて係合させるフック部材１２と、このフック部材１２を両端側に配設されて間隔が拡開しないように牽引する伸縮材料よりなるベルト部材１１と、を備えており、フック部材１２は、ベルト部材１１を連設する基端部３１から離隔する方向に延在した後に重なるように周回する螺旋形状に棒材３２により構成されている。【選択図】図１
2007276975.tif 000002
【特許請求の範囲】
【請求項１】
吊り上げる対象物を吊上道具により吊り下げた状態にする際に用いる補助具であって、
吊上道具が線状材料の両端側に吊上対象物の突起形状に引っ掛けて係合させる輪状に形成された係合部を備えることにより該係合部間の中間部分を吊り上げて当該吊上対象物を吊り下げた状態にするように構成されているのに対して、
該吊上道具の係合部に連結させる連結部と、該連結部が両端側に配設されて当該連結部間の間隔が拡開しないように牽引する牽引部材と、を備えており、
連結部は、牽引部材が連設される基端部から離隔する方向に延在した後に重なるように周回する螺旋形状に形成されていることを特徴とする吊上補助具。
【請求項２】
前記牽引部材は、連結部の間隔を変更可能に該連結部間の長さを調整する機構が設けられていることを特徴とする請求項１に記載の吊上補助具。
【請求項３】
前記牽引部材は、伸縮可能な弾性材料により構成されていることを特徴とする請求項１または２に記載の吊上補助具。
【発明の詳細な説明】
【技術分野】
【０００１】
本発明は、吊上補助具に関し、例えば、変圧器などを電柱上部などに設置する際に用いるスリングベルト等の吊上道具と共に用いるものに関する。
【背景技術】
【０００２】
従来より、重量のある装置機器を吊り上げる場合などには、吊上用道具の線状材料、例えば、スリングベルトなどを準備して、その装置機器の下面側に通すことにより吊り上げることが行なわれており、吊上対象物の下面でスリングベルトが十字に交差した状態に容易になるように工夫したり（例えば、特許文献１参照）、また、その吊上対象物の下面が小さかったり、円形に形成されているために安定した状態で吊り上げることができない場合には、その胴部にスリングベルトなどを巻き付けて吊り上げるようにすることが提案されている（例えば、特許文献２参照）。
【特許文献１】特開２００１−１５１４５８号公報
【特許文献２】特開平７−１３７９７８号公報
【発明の開示】
【発明が解決しようとする課題】
【０００３】
しかしながら、このような従来の吊上道具にあっては、下面を支える状態で吊り上げることができないために、胴部にスリングベルトなどを巻き付けて吊り上げるのでは、横倒しの姿勢になる可能性があることから、例えば、変圧器などの場合には、内部の絶縁油などがこぼれてしまう虞がある。また、胴部にスリングベルトが巻き付くだけでは、変圧器のように重量のあるものでは、滑って落下してしまう虞がある。
【０００４】
このため、図６に示すように、変圧器１００を吊り上げる場合に、リング形状１０２ａが連設されている吊上用のボルト１０２により蓋１０１が閉められているときには、そのボルト１０２を螺合させる部材１０３の突起形状になっている箇所１０３ａに、スリングベルト２００の両端側に形成されている輪状部２０１を引っ掛けるのと同時に、そのボルト１０２のリング形状１０２ａとスリングベルト２００の輪状部２０１とを金属製の針金３００などにより連結させることが行なわれている。これにより、仮に、そのスリングベルト２００の輪状部２０１がボルト１０２の螺合部材１０３（引掛箇所１０３ａ）から外れた場合にも変圧器１００が脱落してしまうことがないようにして、その吊上作業を安全に行っている。
【０００５】
しかるに、このボルト１０２のリング形状１０２ａとスリングベルト２００の輪状部２０１とを針金３００などにより連結させる作業は面倒であるとともに、外す作業も必要になって、素早く作業を行なうことができない。
【０００６】
さらに、変圧器１００の蓋１０１を閉止するボルト１０２にリング形状１０２ａがない場合には、スリングベルト２００の輪状部２０１を針金３００などにより連結させることができずに、そのボルト１０２の螺合部材１０３に引っ掛けたスリングベルト２００の輪状部２０１が外れないように連結させることができない、という問題があった。
【０００７】
そこで、本発明は、引っ掛けただけの突起形状から外れることをなくすことにより、針金などで固定することなく脱落の恐れのない鉛直な姿勢のままの吊上を実現して、変圧器などの吊上作業を容易化することのできる吊上補助具を提供することを目的とする。
【課題を解決するための手段】
【０００８】
上記課題を解決する吊上補助具の第１の発明は、吊り上げる対象物を吊上道具により吊り下げた状態にする際に用いる補助具であって、吊上道具が線状材料の両端側に吊上対象物の突起形状に引っ掛けて係合させる輪状に形成された係合部を備えることにより該係合部間の中間部分を吊り上げて当該吊上対象物を吊り下げた状態にするように構成されているのに対して、該吊上道具の係合部に連結させる連結部と、該連結部が両端側に配設されて当該連結部間の間隔が拡開しないように牽引する牽引部材と、を備えており、連結部は、牽引部材が連設される基端部から離隔する方向に延在した後に重なるように周回する螺旋形状に形成されていることを特徴とするものである。
【０００９】
この発明では、吊上対象物の突起形状に係合させた吊上道具の両端側の係合部を構成する、例えば、線状材料や棒状材料などを、周回する螺旋形状の間に挿通させるだけで連結部の内部に位置させることができ、その係合部に連結させた連結部間の間隔が拡開しないように牽引した状態を維持することができる。この係合部に連結させた連結部は、その係合部の線状材料などが連結部の螺旋形状と平行になる姿勢にならない限り、外れてしまうことなく連結状態を維持することができ、吊上道具の両端側の係合部が拡開する方向にずれて引っ掛けた吊上対象物の突起形状から外れてしまうことを未然に防止することができる。したがって、吊上道具の両端部の係合部を吊上対象物の突起形状に信頼性高く係合させた状態を維持して、その吊上道具により吊り下げた吊上対象物を所望の位置に吊り上げることができる。
【００１０】
上記課題を解決する吊上補助具の第２の発明は、上記第１の発明の特定事項に加え、前記牽引部材は、連結部の間隔を変更可能に該連結部間の長さを調整する機構が設けられていることを特徴とするものである。
【００１１】
この発明では、吊上道具の両端側の係合部を引っ掛ける吊上対象物の突起形状の間隔に合わせるように、その吊上道具の係合部に連結させる連結部間の牽引部材の長さを調整することができ、吊上対象物の大きさに応じて連結部間の間隔を変更して使用することができる。したがって、吊上補助具を利用可能な範囲（吊上対象物の大きさ）を広げることができ、汎用性を向上させることができる。
【００１２】
上記課題を解決する吊上補助具の第３の発明は、上記第１または第２の発明の特定事項に加え、前記牽引部材は、伸縮可能な弾性材料により構成されていることを特徴とするものである。
【００１３】
この発明では、吊上道具の両端側の係合部を引っ掛ける吊上対象物の突起形状の間隔に合わせるように、その吊上道具の係合部に連結させる連結部間の牽引部材を伸縮させることができ、吊上対象物の大きさに応じて連結部間の間隔を都度変更する作業を行うことなく使用することができる。したがって、吊上補助具を利用可能な範囲（吊上対象物の大きさ）を広げることができるとともに、吊上対象物の大きさに応じて細かく牽引部材の長さを微調整することなく利用可能にして作業性を向上させることができる。
【発明の効果】
【００１４】
このように本発明によれば、吊上対象物の突起形状に吊上道具の両端側の輪状の係合部（線状材料など）を引っ掛けて係合させるとともに、その係合部の線状材料などを吊上補助具の連結部の螺旋形状内に挿通させるだけで、不用意に外れてしまわないように吊上補助具を連結することができ、その吊上道具を吊り上げて吊上対象物を吊り下げた状態のときには、その係合部（連結部）の間隔が拡開しないように吊上補助具により牽引して、吊上対象物の突起形状に吊上道具の両端側の係合部が引っ掛かる状態を維持することができる。したがって、吊上対象物を吊上道具により脱落の虞なく信頼性高く吊り下げることができ、その吊上対象物を所望の位置に吊り上げることができる。この結果、吊上対象物の上部側に突起を有する場合には、例えば、変圧器の蓋などを固定するために配置されて外方に突出する箇所（突起形状）を利用して、その変圧器を鉛直姿勢のまま脱落の虞なく信頼性高く吊り上げることができる。
【発明を実施するための最良の形態】
【００１５】
以下、本発明の最良の実施形態を図面に基づいて説明する。図１〜図５は本発明に係る吊上補助具の一実施形態を示す図である。
【００１６】
図１において、吊上補助具１０は、ロープ材、帯材、チェーン材などの線状材料により装置機器などを吊り上げる際にその線状材料に引っ掛けて利用するものであり、ここでは、例えば、図２に示すような極一般的なスリングベルト２００で図３に示す変圧器１００を吊り上げる場合を一例に説明する。
【００１７】
まず、図２に示すように、スリングベルト２００は、帯状材料の両端側を折り返して内方の本体部２０２側に縫い付けるなどして連結することにより輪状部２０１が形成されている。また、図３に示すように、変圧器１００は、絶縁油により浸漬されている状態に変圧装置などが内装されている本体容器１００ａの蓋１０１を、その本体容器１００ａ側の螺合部材１０３にボルト１０２を螺合させて固定するようになっている。
【００１８】
このスリングベルト２００は、変圧器１００の螺合部材１０３下部に形成されている突起形状の引掛箇所１０３ａに両端側の輪状部２０１を引っ掛けて係合させた状態のまま、本体部２０２に不図示の吊上装置のフックなどを引っ掛けて吊り上げることにより、その変圧器１００を吊り下げた状態にして任意の箇所に移動させることができる。すなわち、このスリングベルト２００が吊上道具を構成して、その両端側の輪状部２０１が係合部を構成している。
【００１９】
これに対して、吊上補助具１０は、図１（ａ）に示すように、ゴムなどの弾性材料を内蔵して延長方向に伸縮可能に作製された帯状のベルト部材１１と、このベルト部材１１を挿通することにより実質的に両端側に配設される一対のフック部材１２と、により構成されており、フック部材１２をスリングベルト２００の輪状部２０１に引っ掛けて連結させることによりその輪状部２０１同士が接近する方向（輪状部２０１の間隔が拡開しない方向）にベルト部材１１の弾性力により牽引するように設計されている。すなわち、この吊上補助具１０は、フック部材１２が連結部を構成するとともに、ベルト部材１１が牽引部材を構成している。
【００２０】
これにより、吊上補助具１０は、図４（ａ）に示すように、変圧器１００の螺合部材１０３下部の引掛箇所１０３ａに引っ掛けられているスリングベルト２００の両端側の輪状部２０１のそれぞれに、フック部材１２を引っ掛けて牽引する状態にすることができ、スリングベルト２００の本体部２０２が上方に引っ張られずに緩んだ状態でもそのスリングベルト２００の輪状部２０１同士を接近させる方向に牽引して変圧器１００の引掛箇所１０３ａに引っ掛けられた状態を維持することができる。
【００２１】
したがって、この吊上補助具１０は、図４（ｂ）に示すように、その状態のままスリングベルト２００の本体部２０２を吊り上げたときでも、スリングベルト２００の輪状部２０１がその引掛箇所１０３ａから外れてしまわないように変圧器１００の吊上を補助することができる。このとき、吊上補助具１０は、ベルト部材１１がある程度伸縮可能であることから、変圧器１００の蓋１０１の径が多少変わったとしても（螺合部材１０３の間隔が多少変わったとしても）、交換したり、後述するようにそのベルト部材１１の長さを調節などすることなく、変圧器１００の吊下（吊上）作業を行うことができる。
【００２２】
また、吊上補助具１０のベルト部材１１には、その全長を調節可能にする、所謂、送りカン部材１３が取り付けられており、この送りカン部材１３は、ベルト部材１１の幅方向に延在して交差する状態になる３本の交差棒部２１〜２３と、この交差棒部２１〜２３の両端側に連設されてベルト部材１１の側方に位置する側棒部２４と、を備えて、中央の交差棒部２２にベルト部材１１の一端側が連結されている。
【００２３】
これにより、送りカン部材１３は、この交差棒部２２と交差棒部２１、２３との間に画成される挿通穴２５、２６内に折り返したベルト部材１１を他端側から挿通することにより、そのベルト部材１１の実質的な長さを決めることができ、また、伸張方向に牽引したとしても交差棒部２２の周囲のベルト部材１１と挿通穴２５、２６に挿通したベルト部材１１とが摺接してずれてしまうことを制限することができる。
【００２４】
したがって、吊上補助具１０は、送りカン部材１３をスライドさせることによりベルト部材１１の実質的な全長を調節することができ、変圧器１００の蓋１０１の径がベルト部材１１の伸縮では対応できないほど変わったとしても、交換することなく、そのベルト部材１１の全長を調節して変圧器１００の吊下作業を行うことができる。
【００２５】
さらに、吊上補助具１０のフック部材１２は、ベルト部材１１の挿通穴３１ａを画成する基端部３１から離隔する方向に延在した後に、スリングベルト２００の輪状部２０１を差込可能な間隔で重なるように周回する螺旋形状に棒材３２が形成されて作製されている。なお、一方のフック部材１２の基端部３１にはベルト部材１１の他端側が固設（連設）されているとともに、他方のフック部材１２の基端部３１はベルト部材１１の一端側が挿通穴３１ａ内に挿通されてスライド可能に折り返し部分に位置して連設された状態になっている。
【００２６】
これにより、吊上補助具１０は、フック部材１２の棒材３２間にスリングベルト２００の輪状部２０１を差し込んで周回部分の内部に位置させることができ、その輪状部２０１がその棒材３２と平行になる姿勢にならない限り外れることのない連結状態を維持して、変圧器１００の吊下作業を補助することができる。
【００２７】
このように本実施形態においては、変圧器１００の螺合部材１０３下部の引掛箇所１０３ａにスリングベルト２００の両端側の輪状部２０１を引っ掛けて鉛直姿勢のまま吊り上げる作業を行う際に、そのスリングベルト２００の輪状部２０１のそれぞれに吊上補助具１０のフック部材１２を引っ掛けて牽引する状態を維持することにより、そのスリングベルト２００が螺合部材１０３の引掛箇所１０３ａから不用意に外れてしまわないように変圧器１００の吊下作業を補助することができ、脱落の虞なく変圧器１００を信頼性高く吊り下げた状態にすることができる。したがって、変圧器１００の蓋１０１を閉めるボルト１０２のリング形状１０２ａにスリングベルト２００の輪状部２０１を針金３００などで固定する作業を行うことなく、変圧器１００を電柱の上部などの所望の位置に安全に吊り上げることができる。また、図５に示すように、変圧器１００の蓋１０１をリング形状１０２ａのないボルト１０２により固定する場合でも、同様に、その変圧器１００を鉛直姿勢のまま脱落の恐れなく信頼性高く吊り上げることができる。
【産業上の利用可能性】
【００２８】
これまで本発明の一実施形態について説明したが、本発明は上述の実施形態に限定されず、その技術的思想の範囲内において種々異なる形態にて実施されてよいことは言うまでもない。
【図面の簡単な説明】
【００２９】
【図１】本発明に係る吊上補助具の一実施形態を示す図であり、（ａ）はその概略全体構成を示す平面図、（ｂ）はその要部構成を示すＡ矢視図である。
【図２】その吊上補助具を利用する吊上道具の一例のスリングベルトを示す平面図である。
【図３】そのスリングベルトにより吊り上げる対象物の変圧器を示す図であり、（ａ）はその正面図、（ｂ）はその上面図である。
【図４】その吊上作業の状態を示す図であり、（ａ）はその吊り上げ前の状態を示す立面図、（ｂ）はその吊り上げ中の状態を示す立面図である。
【図５】そのスリングベルトにより吊り上げる対象物の変圧器の他の例を示す一部拡大斜視図である。
【図６】その従来技術を示す一部拡大斜視図である。
【符号の説明】
【００３０】
１０……吊上補助具    １１……ベルト部材    １２……フック部材    １３……送りカン部材    ３１……基端部    ３２……棒材    １００……変圧器    １００ａ……本体容器    １０１……蓋    １０２……ボルト    １０２ａ……リング形状    １０３……螺合部材    １０３ａ……引掛箇所    ２００……スリングベルト    ２０１……輪状部    ２０２……本体部    ３００……針金
【図１】
2007276975.tif 000003
【図２】
2007276975.tif 000004
【図３】
2007276975.tif 000005
【図４】
2007276975.tif 000006
【図５】
2007276975.tif 000007
【図６】
2007276975.tif 000008